(57)【特許請求の範囲】
【請求項１】
パチンコ島のパチンコ台の設置区画に前記パチンコ台を取付けるにあたり、前記設置区画を構成する上架板にパチンコ台枠の上部板を取付ける前記パチンコ台枠の上部取付け装置であって、
前記上架板の下方に導入される前記上部板に対して、上の挟持板と下の挟持板が上下に一対で配置される挟持板を有し、
前記上の挟持板と前記下の挟持板は、それぞれの回転中心部をピンで支持部材に軸支して先端部が上下に回動して開閉自在に構成され、かつ、それぞれの前記回転中心部を中心として互いに反対方向に回動して開閉するように構成されており、
前記挟持板に基端部を枢着した１つの腕棹よりなる開閉手段を有し、
前記開閉手段の前記腕棹を操作することで、前記上の挟持板と前記下の挟持板を同時に互いに反対方向に回動させて開閉させて、前記パチンコ台枠の前記上部板を上下より押圧挟持、押圧解除して前記パチンコ台枠に対する取付け、取外しを行うように構成されたことを特徴とするパチンコ台枠の上部取付け装置。
【請求項２】
前記開閉手段は、前記上の挟持板又は前記下の挟持板に前記基端部を枢着した腕棹と、前記腕棹の胴部と前記支持部材とを回転自在に連結してトッグルジョイントを構成したリンクと、を有しており、
前記腕棹を下げて前記挟持板を開扉し、前記腕棹を上げて前記挟持板を閉扉するように構成され、
前記パチンコ台枠の前記上部板を前記上の挟持板と前記下の挟持板の間に導入、且つ押圧挟持するように構成されたことを特徴とする請求項１記載のパチンコ台枠の上部取り付け装置。
【請求項３】
前記支持部材を垂下し、前記支持部材を前記パチンコ島の前後方向に移動可能とする移動調節手段と、
前記移動調節手段を備えるとともに前記パチンコ島の前記上架板に止着する止着部材と、
を有しており、
前記止着部材は前記上架板の後方に設けた前記移動調節手段を備え、
前記挟持板が開扉した状態で、前記上の挟持板の前記先端部が前記パチンコ島の前記上架板の下面に押圧係合するようにして前記止着部材を前記上架板に止着するように構成されており、
前記パチンコ台枠の取付けにおいてこの前記上部板と前記挟持板との干渉を防止し、
前記挟持板の閉扉による前記パチンコ台枠の取付け状態で、前記上の挟持板は前記上架板との係合を離脱して前記移動調節手段の調節操作を可能としたことを特徴とする請求項１又は請求項２記載のパチンコ台枠の上部取付け装置。
【請求項４】
前記支持部材は前記移動調節手段に上下高さを調整自在として垂下し、
前記パチンコ台枠の前記上部板の厚みに応じて前記支持部材の高さを可変することで、
前記パチンコ台枠の厚みに係らずに前記パチンコ台枠の取付けができるようにしたことを特徴とする請求項３記載のパチンコ台枠の上部取付け装置。
【請求項５】
前記上の挟持板は、前記先端部の下面をテーパーに形成して前記パチンコ台枠の前記上部板との干渉防止を図ったことを特徴とする請求項１乃至請求項４の何れかに記載のパチンコ台枠の上部取付け装置。
【発明の詳細な説明】
【技術分野】
【０００１】  この発明はパチンコ台をパチンコ島に取付ける装置に関し、特にパチンコ台枠の上部取付け装置に関する。
【背景技術】
【０００２】  パチンコ台は高機能化にともなって重量も最大３５ｋｇ程度と高重量となり、台巾も５２ｃｍと広いので、台枠との枢着個所の左ヒンジを支点として前方に開いた場合、台枠の上部板との取付け個所で特に左側の取付け個所に荷重が集中する。パチンコ台の開閉は点検の都度に行なわれるものであり、この開閉の繰り返しで取付け器具の器具本体の止着個所および台枠の取付け個所がゆるんでくる。
この経年のゆるみはパチンコ台のガタつきの原因となり台の傾斜不良および開閉時の不具合の原因となる。【０００３】  これらの取付け器具は、台枠を構成する上部板及び下部板の夫々左右２箇所を取付けるようにしてパチンコ島に配設されるものであるが、パチンコ台をパチンコ島に取付ける場合、前述の観点より台枠の特に上部板の取付けが最も重要であり、台枠の上部取付け装置の性能次第でパチンコ台取付けの優劣が決定される。【０００４】  パチンコ台の取付装置としては、特許文献１があり、台枠を挟持部で持ち上げて取付けをおこなうものであり、また、同様な手段で取付けを行ない、さらに台枠の厚みが変わっても取付け可能とした特許文献２があり、また、前述のパチンコ台の高重量化による対策として取付け強度の解決を計った特許文献３がある。
【先行技術文献】
【特許文献】
【０００５】
【特許文献１】特開２００７−２５９９６１号
【特許文献２】特許第４９１０１５４号
【特許文献３】特開２０１３−４８８７２号
【発明の概要】
【発明が解決しようとする課題】
【０００６】  しかしながら、特許文献１は、パチンコ台の台枠を上の固定つめと下の可動つめで挟持して取付けるものであるが、台枠と島枠との間隙の最低規準は３ｍｍ〜４ｍｍであり、さらに上下の余裕も必要なので上の固定つめは薄板に限定され、従って、この曲げ強度は限定的になる。
また、下部のつめが下側より台枠を押し上げて上部のつめで規制する取付け構造であるため、台枠の取付け時および取付け後において上部のつめが撓みやすく前述のパチンコ台のガタつきの原因となる。【０００７】  また、前述の高重量化によって台枠の取付けは格別の取付け強度が必要であるため、下部のつめの押圧力で上部のつめが撓んで島枠に突き当たると、角度調整部の機能を阻害してパチンコ台の傾き設定が困難となる。【０００８】  特許文献２は、台枠の取付けを前述の特許文献１と同様に、可動側のグリップアームと固定側のグリップベースとで台枠の上部板を挟持して行なうものである。
従って、台枠の取付け時に下側のグリップアームの押圧力でグリップベースが上方に逃げて撓み脆弱な取付け状態となりパチンコ台がガタつく原因となる。
また、このグリップベースの撓みによって台枠とパチンコ島との間隔が狭まるので、もともと間隔の狭い設置環境の場合、グリップベースが島上部枠構造を押し上げてグリップベース自体の前後移動を阻害し、結果としてパチンコ台の傾斜調整ができなくなる。【０００９】  また、台枠はグリップベースの先端に設けた板バネの案内でパチンコ島内に導入されて上記の取付けが行われるが、グリップベースは機械的な手段で上下移動するのではなく、器具自重による落下状態から持ち上げられるため引っかかり等があると台枠の導入が困難となる。【００１０】  また、パチンコ台の傾斜角度の調整範囲は、台枠の上部を１５ｍｍ程前後に移動させて営まれるものであり、スライドボルトに螺合したスライドタップの位置を同様に移動して傾斜角度を設定するこの器具に於いて、スライドボルトに吊り下げられているグリップベースが前方位置となる場合は、スライドボルトが水平姿勢で均衡していた器具自体の重心均衡が崩れ、スライドボルトは前端部が支承される縦長穴の下穴縁と、後端部が支承される縦長穴の上穴縁に夫々規制されて結果として前方に降下傾斜した姿勢で吊り下げられる。【００１１】  従って、スライドベースも同様の前傾姿勢となり、パチンコ島側と接していた板バネの先端部は接触力が弱まること、さらに該個所にスキマが生じること等で台枠の導入案内に支障をきたすことになる。【００１２】  特許文献３は本出願人に係るものであり、パチンコ島を構成する上架板と台枠との間隙に押圧板を設けて、押圧板で上方から台枠を押し付けて取付けを行うものであるが、この押圧板の押し下げに於けるパチンコ島の上架板側に働く反発力で、島の構造によってはたわみが生じて台枠の取付けが脆弱となる場合がある。【００１３】  この解消のために台枠の下側に支持板を設けて、支持板で台枠の下降を規制して取付けるようにしたものであるが、支持板の高さを一定とすることが難しいため台枠の導入時に台枠と衝突する場合があり、また、この支持板の高さ調整作業が煩雑で効率が悪く、特に台枠にパチンコ台をセットした状態での取付けは台枠の導入状態に前後の余裕が無いため現実的でない。【００１４】  また、台枠の取付け後に台枠の傾斜角度の調整をすることで、結果としてパチンコ台の傾斜角度が決定されるようにしているので、パチンコ台の傾斜を盤面の傾斜を規準として設定できない欠点がある。【００１５】  本発明は、上記事情に鑑みてなされたものであって、パチンコ台のパチンコ島への取付けにおいて、パチンコ台枠の上部板を堅固に取付けする取付け装置を提供して、パチンコ台が経年の利用によってもガタつき等が発生せずに所望の性能が発揮できるようにすることを目的としている。
【課題を解決するための手段】
【００１６】
前記課題を解決するため、この発明のパチンコ台枠の上部取付け装置は、パチンコ島のパチンコ台の設置区画に前記パチンコ台を取付けるにあたり、前記設置区画を構成する上架板にパチンコ台枠の上部板を取付ける前記パチンコ台枠の上部取付け装置であって、前記上架板の下方に導入される前記上部板に対して、上の挟持板と下の挟持板が上下に一対で配置される挟持板を有し、前記上の挟持板と前記下の挟持板は、それぞれの回転中心部をピンで支持部材に軸支して先端部が上下に回動して開閉自在に構成され、かつ、それぞれの前記回転中心部を中心として互いに反対方向に回動して開閉するように構成されており、前記挟持板に基端部を枢着した１つの腕棹よりなる開閉手段を有し、前記開閉手段の前記腕棹を操作することで、前記上の挟持板と前記下の挟持板を同時に互いに反対方向に回動させて開閉させて、前記パチンコ台枠の前記上部板を上下より押圧挟持、押圧解除して前記パチンコ台枠に対する取付け、取外しを行うように構成されたことを特徴とする。
【００１７】
また、前記開閉手段は、前記上の挟持板又は前記下の挟持板に前記基端部を枢着した腕棹と、前記腕棹の胴部と前記支持部材とを回転自在に連結してトッグルジョイントを構成したリンクと、を有しており、前記腕棹を下げて前記挟持板を開扉し、前記腕棹を上げて前記挟持板を閉扉するように構成され、前記パチンコ台枠の前記上部板を前記上の挟持板と前記下の挟持板の間に導入、且つ押圧挟持するように構成されたことを特徴とする。
【００１８】
また、前記支持部材を垂下し、前記支持部材を前記パチンコ島の前後方向に移動可能とする移動調節手段と、前記移動調節手段を備えるとともに前記パチンコ島の前記上架板に止着する止着部材と、を有しており、前記止着部材は前記上架板の後方に設けた前記移動調節手段を備え、前記挟持板が開扉した状態で、前記上の挟持板の前記先端部が前記パチンコ島の前記上架板の下面に押圧係合するようにして前記止着部材を前記上架板に止着するように構成されており、前記パチンコ台枠の取付けにおいてこの前記上部板と前記挟持板との干渉を防止し、前記挟持板の閉扉による前記パチンコ台枠の取付け状態で、前記上の挟持板は前記上架板との係合を離脱して前記移動調節手段の調節操作を可能としたことを特徴とする。
【００１９】
また、前記上の挟持板は、前記先端部の下面をテーパーに形成して前記パチンコ台枠の前記上部板との干渉防止を図ったことを特徴とする。
【００２０】
また、前記支持部材は前記移動調節手段に上下高さを調整自在として垂下し、前記パチンコ台枠の前記上部板の厚みに応じて前記支持部材の高さを可変することで、前記パチンコ台枠の厚みに係らずに前記パチンコ台枠の取付けができるようにしたことを特徴とする。
【発明の効果】
【００２１】  本発明は、上記のように構成したので、パチンコ台の上部、即ち台枠の上部板の取付けにおいて上部板を上下方向から押圧して挟持するようにしたので、上下何れか一方向のみの押圧での力の逃げによる脆弱な取付け状態を解消でき、特にパチンコ台の高重量化、さらにパチンコ台の開扉時の台枠上部への荷重の一極集中に対しても充分な耐久性を有して、長期間パチンコ台をガタつき無く取付けできる。【００２２】  また、上記の取付けにおいてパチンコ島の上架板と台枠の上部板との間隙の大小に係らずに取付けができる。【００２３】  また、上の挟持板は台枠取付け後の閉扉状態で、パチンコ島の上架板との係合を離れて間隙が形成されるので、移動調節手段によるパチンコ台の傾斜調節が抵抗なく行なえる。【００２４】  また、上の挟持板の先端部の下面をテーパー状としたので、台枠の導入時に台枠の上部が干渉しても衝突することなく取付け位置に案内できる。【００２５】
また、台枠の取付けは開閉手段の腕棹の回転操作で行なえるので、特に工具等を使用せずとも台枠の上部板は挟持板で所定の挟持力で堅固に取り付けられる。
【図面の簡単な説明】
【００２６】
【図１】この発明のパチンコ台枠の上部取付け装置のパチンコ島への取り付け位置、およびパチンコ台枠とパチンコ台の取付け状態を示すパチンコ島の正面図。
【図２】パチンコ台の取付け状態を示す、図１の２−２線に沿う断面図。
【図３】挟持板の開扉状態を示す断面図。
【図４】台枠の上板の取付け状態を示す断面図。
【図５】パチンコ台枠の上部取付け装置の分解斜視図。
【図６】パチンコ台枠の下部板の取付け状態を示す図２の要部拡大図。
【図７】支持部材の高さ調整を示す断面図。
【発明を実施するための形態】
【００２７】  以下、図１〜図７を参照し、この実施形態を通じて本発明を詳説する。
【００２８】  図１はパチンコ台１のパチンコ島２への取付け状態を例示している。パチンコ島２は上架板３と下架板４及びこの縦桟５とで、パチンコ台１が設置される設置区画６が形成されている。
縦桟５は図に示したように玉の供給機５ａで代用される場合もある。上記の設置区画６にパチンコ台１を取り付ける手段は、先ず台枠７を設置区画６内に入れて台枠７の取付け後にヒンジ構造８によってパチンコ台１を開閉自在に取付ける手段と、パチンコ台１に台枠７を装着した状態で取付ける手段がある。
この発明装置は両方の取付け手段に対応することを前提としている。
【００２９】  この発明のパチンコ台枠の上部取付け装置９は、上架板３の各々の設置区画６ごとに左右に対で設置している。１０は下部取付け装置を示し、上記同様にして下架板４の各々の設置区画６ごとに左右に対で設置している。
設置区画６内に導入された台枠７は、図２で示したように上部板１１が上部取付け装置９で取付けされ、下部板１２が下部取付け装置１０で取付けされる。この取付け後に、パチンコ台１の傾きＡを設定して取り付けが完了する。
【００３０】  図３から図５は上部取付け装置９を示し、支持部材１３に枢着された上下の挟持板１４ａ、１４ｂと、挟持板１４を開閉操作する倍力開閉手段１５と、移動調節手段１６を備えたパチンコ島２の止着部材１７とで構成している。
【００３１】  支持部材１３は図５で示したように、上面に連結ナット１８を下面に支持ブロック１９設けた基板２０と、基板２０の下方に一体で曲折され、軸穴２１、２２を形成した一対の取付け板２３とで構成している。上の挟持板１４ａは、下部の両側に、軸穴２４、２５を穿設した係合部２６を一体で設けている。
下の挟持板１４ｂは左右両側を立ち上げて、この後端部を軸穴２７、２８、２９を穿設した係合部３０とし、先端部はノコギリ状の滑り止３１を形成している。
【００３２】  上の挟持板１４ａの係合部２６の内側に下の挟持板１４ｂの係合部３０を配置し、軸穴２５と２７にピン３２を挿通して先端をカシメ加工して、上下の挟持板１４ａ、１４ｂをピン３２で枢着する。
この挟持板１４を支持部材１３の取付け板２３の内側に配置し、ピン３３を軸穴２１、軸穴２４に挿通し、ピン３４を軸穴２２、軸穴２８に挿通して夫々カシメ加工して支持部材１３に枢着する。上記の構成に於いて、挟持板１４は開閉自在に支持部材１３に取付けられる。
【００３３】  ３５は腕棹を示し、基端部３６の両側に立設され、傾斜峰部を係止部３７とした支点板３８とこの軸穴３９、４０とで構成している。
前記の支持ブロツク１９に固着され軸穴４１を穿設した支点板４２と、上記の腕棹３５を連結して倍力開閉手段１５を構成している。
即ち、両端部に軸穴４３、４３を穿設したリンク４４にコイルバネ４５を被せ、長穴４６、４７を形成した止板４８、４９をリンク４４の両端より被嵌し、軸穴４０，４３にピン５０を挿通し、軸穴４１，４３にピン５１を挿通して夫々カシメ加工して腕棹３５を支持部材１３に装着する。
次に腕棹３５の基端部３６を下の挟持板１４ｂの底部切欠凹部５２内に配置し、軸穴２９、３９にピン５３を挿通してカシメ加工している。
【００３４】  腕棹３５の回転操作で挟持板１４は、図３で示した開扉状態から図４で示した閉扉状態となり、上下の挟持板１４ａ、１４ｂの先端部はリンク４４の軸穴４３、４３間と、腕棹３５の軸穴３９、４０間とで構成したトッグルジョイント機構と腕棹３５とで倍力開閉手段１５を構成して、腕棹３５の回転操作で挟持板１４を強力な押圧力で閉扉する。
【００３５】  支持部材１３は移動調節手段１６を介して止着部材１７と連結しているが、止着部材１７は前後端部を上方に曲折した立上り部５４、５４に軸穴５５、５６および止着穴５７を穿設し前記の連結ナット１８が移動する窓５８を備えた止着板５９と、この止着板５９の前側に固着して上記同様の立上り部６０および軸穴６１と止着穴６２を形成し窓５８と同様の凹部６３を形成するとともに止着穴６４を穿設した止着板６５とで構成している。
【００３６】  ６６は、一端部を径小の支承部６７とし他端部に６角の操作部６８を設けた回転ボルトを示し、上の挟持板１４ａを凹部６３内に移動自在に設けた状態で、この回転ボルト６６を連結ナット１８に螺合して支承部６７を軸穴５５、６１に嵌合し、操作部６８を軸穴５６より突出させ、この突出端に止リング６９を被せて双方のピン穴７０、７１にピン７２を打ち込んで抜け防止が計られている。
上記に於いて移動調節手段１６が構成され、操作部６８をレンチ等で回すことで、支持部材１３および挟持板１４は回転ボルト６６の軸方向に移動する。
【００３７】  上記構成の台枠７の上部取付け装置９をパチンコ島２に取付けるには、パチンコ島２の上架板３の後端部に止着部材１７の立上り部６０および止着板６５を配置して、夫々の止着穴５７、６２、６４にビス７３、７４を止着して取付ける。
この取付け時に、上の挟持板１４ａは図３に示したように開扉状態で先端部のみが上架板３の下面に押圧係合するように設定する。
上の挟持板１４ａの先端部の下面はテーパー７５に形成しているので台枠７の取付けにあたり上部板１１が上下の挟持板１４ａ、１４ｂ間に導入される際に上の挟持板１４ａの傾斜姿勢とテーパー７５の案内で干渉することなく導入され、取付け板２３の前端部に突き当たる位置で位置決めされる。
【００３８】  次に腕棹３５を上方に回転すると図４に示したように台枠７の上部板１１は上下の挟持板１４ａ、１４ｂで押圧挟持され、この時台枠７が木製の場合は下の挟持板１４ａの滑り止３１の先端が喰い込んで取付け状態を堅固にし、一方、アルミ等の金属製の場合は滑り止３１の先端に押圧力が集中して堅固に固定する。
挟持板１４は開扉状態で腕棹３５の基端部３６の上面がコイルバネ４５の弾機作用で止板４８と押圧係合して開扉姿勢を保持し、閉扉状態では係止部３７が同様に止板４８と押圧係合して閉扉姿勢を保持する。
【００３９】  図４で示したように、上架板３の下面と台枠７の上部板１１の間隙Ｂは、パチンコ島２の設計上では４ｍｍ内外としているがパチンコ台１の重量等の影響で下架板４が降下するにつれて間隙が広がることがあり、この間隙の広がりは下架板４に敷板を置いて調整する場合がある。何れにしても間隙Ｂは営業上の問題を考慮して６ｍｍ〜７ｍｍ程度が最大である。
台枠７の上部板１１の厚みは通常１９ｍｍと規格化されているので、上記の間隙Ｂの大小の差３ｍｍ程度は挟持板１４の挟持力に影響を及ぼすものであるが、台枠７の上部板１１の左右の巾は５２ｃｍ程度と巾広なため、現実には全体のタワミと滑り止３１の喰いこみ度合いの変化で吸収されるので間隔Ｂの上記の誤差で取付け強度が変わることはない。
【００４０】  また、回転ボルト６６を長穴に支承させ上下移動自在とした前述の特許第４９１０１５４号の構成としても良い。
また今後の課題として、台枠７の上部板１１の規格が変更になる場合を考慮すると、図７で示したように連結ナット１８を支持部材１３の基板２０に設けたガイド７６の案内で上下移動自在とし、底部に螺着した調整ネジ７７を回転して支持部材１３の高さを可変できるようにしている。この調整に於いては挟持板１４の開扉角度を変える必要があり、これは支持ブロツク１９に、先端に支点板４２ａを枢着した調整ネジ７８を螺着し、調整ネジ７８を回転して挟持板１４の開扉角度を変えるようにしている。
台枠７は上述の上部取付け装置９と下部取付け装置１０によってパチンコ島２に取付けされる。
【００４１】  下部取付け装置１０の一例として、同一出願人に係る特開２０１３−４８８７２号を示しているが、これはパチンコ島２の下架板４に取付ける基材７９と、ナット８０に螺着して台枠７の下部板１２を押圧固定する押さえ螺子８１と、ナット取付け具８２を介して螺子８３で基材７９に取り付けられたナット８４と、このナット８４に螺着した位置決めボルト８５とで構成されている。
【００４２】  パチンコ台１の取付けは、台枠７を先にパチンコ島２の設置区画６に導入して取付け、その後にヒンジ機構８によってパチンコ台１を取付ける場合と、パチンコ台１を台枠７に組み込んだ状態で設置区画６に導入して取付ける場合があり、この発明は両方の取付け手段が可能である。
【００４３】  パチンコ台１は、図２で示したように後ろ側に所定の角度傾斜した状態でパチンコ島２に取付けられるが、この傾きは機種によって決定されているので上述で取付けられたパチンコ台１は移動調節手段１６で傾き調節をして所定の傾きに設定する。
上記の調節操作は角度計によって傾きを確認しながら、回転ボルト６６の操作部６８を回すと連結ナット１８および支持部材１３が前後移動して、挟持板１４で押圧挟持された台枠７の上部は下部取付け装置１０箇所を支点として前後に移動してパチンコ台１の傾きが変わる。
【符号の説明】
【００４４】      １・・・パチンコ台
２・・・パチンコ島
３・・・上架板
４・・・下架板
６・・・設置区画
７・・・台枠
９・・・上部取付け装置
１０・・・下部取付け装置
１１・・・上部板
１２・・・下部板
１３・・・支持部材
１４ａ・・・上の挟持板
１４ｂ・・・下の挟持板
１５・・・倍力開閉手段
１６・・・移動調節手段
１７・・・止着部材
２６・・・係合部
３０・・・係合部
３２・・・ピン
３３・・・ピン
３４・・・ピン
３５・・・腕棹
５３・・・ピン
７５・・・テーパー
【図１】
0006430164.tif 000002
【図２】
0006430164.tif 000003
【図３】
0006430164.tif 000004
【図４】
0006430164.tif 000005
【図５】
0006430164.tif 000006
【図６】
0006430164.tif 000007
【図７】
0006430164.tif 000008